(57)【要約】【課題】排出トレイに排出された印刷物の取り違いを防止する。【解決手段】画像形成装置１の前面側に設けられた人体検知センサー１５により人体が検知されているときに、指令受付部１０２が外部装置２０からの印刷ジョブ指令を受け付けた場合には、印刷ジョブ指令に基づく印刷ジョブを一時停止する制御部１００を備える。制御部１００は、表示部４７３の動作を制御することによって、排出トレイに排出された記録媒体（印刷物）の取り違いに対する注意喚起のための表示を行ってもよい。【選択図】図１
2019188766.tif 000002
【特許請求の範囲】
【請求項１】
記録媒体に画像を形成する画像形成部と、
前記画像形成部により画像が形成された記録媒体が排出される排出トレイと、
ユーザーから指示が入力される操作部と、
前記操作部に入力された指示を受け付ける操作受付部と、
本画像形成装置に設けられ、本画像形成装置の前面側にいる人物を検知する人体検知センサーと、
外部装置との間でデータ通信を行う通信部と、
前記通信部を介した前記外部装置からの印刷ジョブ指令を受け付ける指令受付部と、
前記操作受付部が印刷ジョブ指示を受け付けたときと、前記指令受付部が前記外部装置からの印刷ジョブ指令を受け付けたときに、前記画像形成部の動作を制御して、前記印刷ジョブ指示に基づく印刷ジョブを実行する制御部と、を備え、
前記制御部は、前記人体検知センサーにより人体が検知されているときに、前記指令受付部が前記印刷ジョブ指令を受け付けている場合には、前記印刷ジョブ指令に基づく印刷ジョブを一時停止する画像形成装置。
【請求項２】
表示部を更に備え、
前記制御部は、前記人体検知センサーにより人体が検知されているときに、前記指令受付部が前記印刷ジョブ指令を受け付けた場合には、前記印刷ジョブ指令に基づく印刷ジョブを一時停止すると共に、前記排出トレイに排出された記録媒体の取り違いに対する注意喚起のための表示を前記表示部に行わせる請求項１に記載の画像形成装置。
【請求項３】
前記制御部は、前記注意喚起のための表示を行うと共に、前記外部装置からの前記印刷ジョブ指令に基づく印刷ジョブの実行の可否をユーザーに問い合わせる表示を前記表示部に行わせ、当該表示の後に、前記操作受付部が前記実行のユーザー指示を受け付けると、前記一時停止を解除し、前記外部装置からの前記印刷ジョブ指令に基づく印刷ジョブを実行する請求項２に記載の画像形成装置。
【請求項４】
前記制御部は、前記人体検知センサーにより人体が検知されなくなると、前記一時停止を解除し、前記印刷ジョブ指令に基づく印刷ジョブを実行する請求項１乃至請求項３のいずれかに記載の画像形成装置。
【請求項５】
前記表示部に表示されている画面が、印刷ジョブの実行をユーザーが指示するための予め定められた操作画面であるか否かを判断する画面判断部を更に備え、
前記制御部は、
前記画面判断部により、前記表示部に表示されている画面が前記予め定められた操作画面であると判断された場合に、前記印刷ジョブ指令に基づく印刷ジョブを一時停止すると共に、前記注意喚起のための表示を前記表示部に行わせ、
前記画面判断部により、前記表示部に表示されている画面が前記予め定められた操作画面でないと判断された場合には、前記注意喚起のための表示を前記表示部に行わせず、前記一時停止させていた前記印刷ジョブ指令に基づく印刷ジョブを実行する請求項２乃至請求項４のいずれかに記載の画像形成装置。
【請求項６】
外部メモリーと接続可能な接続部と、
前記接続部への前記外部メモリーの接続を認識する認識部と、を更に備え、
前記制御部は、前記画面判断部により前記表示部に表示されている画面が前記予め定められた操作画面でないと判断され、前記認識部が前記接続部への前記外部メモリーの接続を認識していない場合に、前記注意喚起のための表示を前記表示部に行わせず、前記一時停止させていた前記印刷ジョブ指令に基づく印刷ジョブを実行する請求項５に記載の画像形成装置。
【請求項７】
前記制御部は、前記画面判断部により前記表示部に表示されている画面が前記予め定められた操作画面でないと判断され、前記認識部が前記接続部への前記外部メモリーの接続を認識している場合に、前記注意喚起のための表示を前記表示部に行わせ、前記印刷ジョブ指令の前記一時停止を維持する請求項６に記載の画像形成装置。
【請求項８】
前記接続部に接続されている前記外部メモリーに、本画像形成装置で印刷可能な予め定められた種類のデータが格納されているか否かを判断する種類判断部を更に備え、
前記制御部は、前記画面判断部により、前記表示部に表示されている画面が前記予め定められた操作画面でないと判断し、前記認識部が前記接続部への前記外部メモリーの接続を認識し、更に、前記種類判断部により前記外部メモリーに前記予め定められた種類のデータが格納されていると判断された場合にのみ、前記注意喚起のための表示を前記表示部に行わせ、前記印刷ジョブ指令の前記一時停止を維持する請求項７に記載の画像形成装置。
【請求項９】
前記制御部は、前記画面判断部により前記表示部に表示されている画面が前記予め定められた操作画面でないと判断され、前記認識部が前記接続部への前記外部メモリーの接続を認識し、前記種類判断部により前記外部メモリーに前記予め定められた種類のデータが格納されていないと判断された場合には、前記注意喚起のための表示を前記表示部に行わせず、前記一時停止させていた前記印刷ジョブ指令に基づく印刷ジョブを実行する請求項８に記載の画像形成装置。
【発明の詳細な説明】
【技術分野】
【０００１】
本発明は、画像形成装置に関し、特に、外部装置からの印刷ジョブ指令を実行する際の技術に関する。
【背景技術】
【０００２】
下記の特許文献１に、複写装置（コピー機）の前に人がいることを検知するための人体検知センサーの信号がオンからオフに変わり、オペレーターが複写装置の前から去ろうとしていることを検知した時、排出トレイ上に転写紙（印刷物）が残っている場合には、ブザー等を用いて、これを報知することが記載されている。
【先行技術文献】
【特許文献】
【０００３】
【特許文献１】特開平５−３２３７３５号公報
【発明の概要】
【発明が解決しようとする課題】
【０００４】
複合機等の画像形成装置には、装置本体に設けられた操作部を介したユーザーからの印刷ジョブの指示だけでなく、外部装置（例えば、パソコン）からの印刷ジョブの指令を受け付け、当該指令に従って、印刷ジョブを実行する機能を有している。
【０００５】
そのため、あるユーザーＡが装置本体に設けられた操作部を操作中に、外部装置から送信されてくる別のユーザーＢによる印刷ジョブの指令を画像形成装置が受け付け、その後、ユーザーＡが印刷ジョブの指示を行うといった事象が発生することが考えられる。
【０００６】
そのような事象が発生した場合に、ユーザーＡが、外部装置からの印刷ジョブ指令に気付かないと、排出トレイに排出された印刷物（ユーザーＢによる印刷ジョブ指令に基づく印刷物）を、ユーザーＡによる印刷ジョブ指示に基づく印刷物であると誤認してしまい、印刷物の取り違いが発生するおそれがある。
【０００７】
本発明は、上記の事情に鑑みなされたものであり、排出トレイに排出された印刷物の取り違いを防止することを目的とする。
【課題を解決するための手段】
【０００８】
本発明の一局面に係る画像形成装置は、記録媒体に画像を形成する画像形成部と、前記画像形成部により画像が形成された記録媒体が排出される排出トレイと、ユーザーから指示が入力される操作部と、前記操作部に入力された指示を受け付ける操作受付部と、本画像形成装置に設けられ、本画像形成装置の前面側にいる人物を検知する人体検知センサーと、外部装置との間でデータ通信を行う通信部と、前記通信部を介した前記外部装置からの印刷ジョブ指令を受け付ける指令受付部と、前記操作受付部が印刷ジョブ指示を受け付けたときと、前記指令受付部が前記外部装置からの印刷ジョブ指令を受け付けたときに、前記画像形成部の動作を制御して、前記印刷ジョブ指示に基づく印刷ジョブを実行する制御部と、を備え、前記制御部は、前記人体検知センサーにより人体が検知されているときに、前記指令受付部が前記印刷ジョブ指令を受け付けている場合には、前記印刷ジョブ指令に基づく印刷ジョブを一時停止する。
【発明の効果】
【０００９】
本発明によれば、人体検知センサーにより人体が検知されているとき（装置の前にユーザーが存在しているとき）に、外部装置からの印刷ジョブ指令（別のユーザーによる印刷ジョブ指令）を受け付けた場合、上記印刷ジョブ指令に基づく印刷ジョブが一時停止する。従って、排出トレイに排出された印刷物の取り違いが起こるおそれのある場合には、外部装置からの印刷ジョブ指令による印刷物の排出を停止させることになるため、排出トレイに排出された印刷物の取り違いを防止できる。
【図面の簡単な説明】
【００１０】
【図１】本発明の第１実施形態に係る画像形成装置の主要内部構成を概略的に示した機能ブロック図である。
【図２】第１実施形態に係る画像形成装置の制御ユニットで行われる処理動作の一例を示したフローチャートである。
【図３】表示部に表示される操作画面の一例を示した図である。
【図４】注意喚起を行うか否かを場合分けしてまとめた表の一例である。
【図５】第２実施形態に係る画像形成装置の主要内部構成を概略的に示した機能ブロック図である。
【図６】第２実施形態に係る画像形成装置の制御ユニットで行われる処理動作の一例を示したフローチャートである。
【図７】注意喚起を行うか否かを場合分けしてまとめた表の一例である。
【発明を実施するための形態】
【００１１】
以下、本発明の一実施形態に係る画像形成装置について図面を参照して説明する。図１は、本発明の第１実施形態に係る画像形成装置の主要内部構成を概略的に示した機能ブロック図である。
【００１２】
画像形成装置１は、例えば、コピー機能、プリンター機能、スキャナー機能、及びファクシミリ機能のような複数の機能を兼ね備えた複合機である。画像形成装置１は、制御ユニット１０、原稿給送部６、原稿読取部５、画像形成部１２、定着部１３、給紙部１４、人体検知センサー１５、操作部４７、ネットワークインターフェイス部９１、及びＵＳＢ（Universal Serial Bus）ポート２１を備える。
【００１３】
画像形成装置１で原稿読取動作が行われる場合について説明する。原稿給送部６により搬送されてきた原稿、又は図略のコンタクトガラスに載置されている原稿の画像を、原稿読取部５が光学的に読み取り、そして画像データを生成する。原稿読取部５により生成された画像データは、図略の画像メモリー等に保存される。
【００１４】
画像形成装置１で画像形成動作が行われる場合について説明する。原稿読取動作により生成された画像データや、ネットワーク接続された外部装置２０としてのパソコン等から受信した画像データに基づいて、画像形成部１２が、給紙部１４から給紙される記録媒体としての記録紙にトナー像を形成する。
【００１５】
定着部１３は、熱圧着によりトナー像を記録紙に定着させるものであり、定着処理が施された記録紙（印刷物）は図略の排出トレイに排出される。給紙部１４は、給紙カセットを備える。
【００１６】
人体検知センサー１５は、画像形成装置１に設けられ、画像形成装置１の前面側に人が存在することを検知するためのセンサーである。なお、人体検知センサー１５としては、人体の赤外線の変化量を検知する焦電素子を備える焦電型赤外線センサーが用いられる。例えば、人体検知センサー１５は、画像形成装置の前面側に設けられる。
【００１７】
操作部４７は、画像形成装置１が実行可能な各種動作及び処理について、操作者から、画像形成動作実行指示等の指示が入力される。操作部４７は、操作者への操作案内等を表示する表示部４７３を備えている。表示部４７３はタッチパネルになっており、操作者は画面表示されるボタンやキーに触れて画像形成装置１を操作することができる。
【００１８】
ネットワークインターフェイス部９１は、ローカルエリア内、又はインターネット上のパソコンやサーバー等の外部装置２０と種々のデータの送受信を行うものである。なお、ネットワークインターフェイス部９１は、特許請求の範囲における通信部の一例である。
【００１９】
ＵＳＢポート２１は、外部メモリーであるＵＳＢメモリー２２と接続可能なインターフェイスである。なお、ＵＳＢポート２１は、特許請求の範囲における接続部の一例である。
【００２０】
制御ユニット１０は、プロセッサー、ＲＡＭ（Random Access Memory）、ＲＯＭ（Read Only Memory）、及び専用のハードウェア回路を含んで構成される。プロセッサーは、例えばＣＰＵ（Central Processing Unit）、ＡＳＩＣ（Application Specific Integrated Circuit）、又はＭＰＵ（Micro Processing Unit）等である。制御ユニット１０は、制御部１００と、操作受付部１０１と、指令受付部１０２と、画面判断部１０３と、認識部１０４とを備えている。
【００２１】
制御ユニット１０は、ＨＤＤ（Hard Disk Drive）９２に記憶されている制御プログラムに従って上記プロセッサーが動作することにより、制御部１００、操作受付部１０１、指令受付部１０２、画面判断部１０３、及び認識部１０４として機能する。但し、制御部１００等は、上記プロセッサーによる制御プログラムに従った動作によらず、それぞれハードウェア回路により構成することも可能である。以下、特に触れない限り、各実施形態について同様である。
【００２２】
制御部１００は、画像形成装置１の全体的な動作制御を司る。制御部１００は、原稿給送部６、原稿読取部５、画像形成部１２、定着部１３、給紙部１４、人体検知センサー１５、操作部４７、ネットワークインターフェイス部９１、及びＵＳＢポート２１と接続され、これら各部の駆動制御等を行う。
【００２３】
操作受付部１０１は、操作部４７を介したユーザーからの指示入力を受け付ける。例えば、操作受付部１０１が、印刷ジョブ（例えば、コピーやプリント）の実行のユーザー指示を受け付けると、制御部１００は、画像形成部１２の動作を制御することによって、操作受付部１０１が受け付けた印刷ジョブ指示に基づく印刷ジョブを実行する。
【００２４】
指令受付部１０２は、ネットワークインターフェイス部９１を介した外部装置２０からの各種指令を受け付ける。例えば、指令受付部１０２が、外部装置２０からの印刷ジョブ指令を受け付けると、制御部１００は、画像形成部１２の動作を制御することによって、指令受付部１０２が受け付けた印刷ジョブ指令に基づく印刷ジョブを実行する。
【００２５】
画面判断部１０３は、制御部１００が表示部４７３に表示させている画面が、印刷ジョブの実行をユーザーが指示するための予め定められた操作画面であるか否かを判断する。表示部４７３に表示される操作画面としては、コピー画面やプリント画面、スキャン画面、ファクシミリ画面などがあるが、上記予め定められた操作画面としては、コピー画面やプリント画面が挙げられる。
【００２６】
認識部１０４は、ＵＳＢポート２１へのＵＳＢメモリー２２の接続を認識する。なお、ＵＳＢポート２１へのＵＳＢメモリー２２の接続を認識する方法としては、例えば、プラグアンドプレイ機能を利用するといった方法が挙げられる。
【００２７】
次に、第１実施形態に係る画像形成装置１の制御ユニット１０で行われる処理動作の一例について、図２に示したフローチャートに基づいて説明する。指令受付部１０２が外部装置２０からの印刷ジョブ指令を受け付けると（Ｓ１でＹＥＳ）、制御部１００は、人体検知センサー１５により人体が検知されているか否かを判断する（Ｓ２）。
【００２８】
制御部１００は、人体検知センサー１５により人体が検知されている（画像形成装置１の前にユーザーＡがいる）と判断した場合（Ｓ２でＹＥＳ）、外部装置２０からの印刷ジョブ指令（画像形成装置１の前にいるユーザーＡとは別のユーザーＢによる印刷ジョブ指令）に基づく印刷ジョブを一時停止させる（Ｓ３）。
【００２９】
画像形成装置１の前にいるユーザーＡとは別のユーザーＢによる印刷ジョブ指令に基づく印刷物が画像形成装置１の排出トレイに排出されると、その印刷物をユーザーＡが誤って持ち去ってしまうおそれがある。そのため、ユーザーＢによる印刷ジョブ指令に基づく印刷ジョブを一時停止させる。
【００３０】
一方、制御部１００は、人体検知センサー１５により人体は検知されていないと判断した場合（Ｓ２でＮＯ）、印刷物の取り違いが起こる可能性は低いと考えられるので、画像形成部１２の動作を制御することによって、外部装置２０からの印刷ジョブ指令に基づく印刷ジョブを実行し（Ｓ４）、この処理を終了する。
【００３１】
制御部１００が、Ｓ３で外部装置２０からの印刷ジョブ指令に基づく印刷ジョブを一時停止させた後、画面判断部１０３は、表示部４７３に表示されている画面が、印刷ジョブの実行をユーザーが指示するための予め定められた操作画面（ここでは、（コピー画面やプリント画面等の画像形成装置１の前にいるユーザーＡが印刷ジョブの実行の指示を入力する可能性が高い画面））であるか否かを判断する（Ｓ５）。
【００３２】
画面判断部１０３が、表示部４７３に表示されている画面が上記予め定められた操作画面（コピー画面やプリント画面等）であると判断した場合（Ｓ５でＹＥＳ）、画像形成装置１の前にいるユーザーＡが印刷ジョブの実行を指示する可能性が高く、印刷物の取り違いが発生する可能性が高くなるので、制御部１００は、表示部４７３の動作を制御することによって、排出トレイに排出された記録媒体（印刷物）の取り違いに対する注意喚起のための表示を表示部４７３に行わせると共に、外部装置２０からの印刷ジョブ指令に基づく印刷ジョブの実行の可否をユーザーに問い合わせるための表示を行う（Ｓ６）。
【００３３】
例えば、制御部１００は、図３に示すような操作画面Ｐ１を表示部４７３に表示することで、印刷物の取り違いに対する注意喚起を行うと共に、外部装置２０からの印刷ジョブ指令に基づく印刷ジョブの実行を指示するか否かをユーザーに確認する。
【００３４】
操作画面Ｐ１は、例えば、「外部から印刷ジョブの指令が来ています。この指令を実行しても良いですか？実行をＯＫした場合には、印刷物の取り違いに注意してください。」といったメッセージＭ１と、「ＯＫ」と記された選択ボタンＢ１と、「キャンセル」と記された選択ボタンＢ２とを含んで構成されている。
【００３５】
続いて、制御部１００は、操作受付部１０１が、外部装置２０からの印刷ジョブ指令に基づく印刷ジョブの実行の指示を受け付けたか否かを判断する（Ｓ７）。具体的には、操作受付部１０１が、操作画面Ｐ１における選択ボタンＢ１に対するユーザー操作を、タッチパネルを介して受け付けた場合、制御部１００は、操作受付部１０１が、上記実行の指示を受け付けたと判断する。
【００３６】
制御部１００は、操作受付部１０１が、上記実行の指示を受け付けたと判断した場合（Ｓ７でＹＥＳ）、上記一時停止を解除し、画像形成部１２の動作を制御することによって、外部装置２０からの印刷ジョブ指令に基づく印刷ジョブを実行する（Ｓ４）。この後、処理は終了する。
【００３７】
一方、制御部１００は、操作受付部１０１が、上記実行の指示を受け付けていないと判断した場合（Ｓ７でＮＯ）、人体検知センサー１５により人体が検知されているか否かを再度判断する（Ｓ８）。
【００３８】
制御部１００は、この時点で、人体検知センサー１５により人体が検知されていない（画像形成装置１の前からユーザーＡが離れた）と判断した場合（Ｓ８でＮＯ）、印刷物の取り違いが発生する可能性は低くなるので、上記一時停止を解除し、外部装置２０からの印刷ジョブ指令に基づく印刷ジョブを実行する（Ｓ４）。この後、処理は終了する。
【００３９】
一方、制御部１００が、人体検知センサー１５により人体が検知されている（画像形成装置１の前にユーザーＡがいる）と判断した場合（Ｓ８でＹＥＳ）、処理はＳ７に戻る。
【００４０】
また、Ｓ５において、画面判断部１０３が、表示部４７３に表示されている画面が上記予め定められた操作画面（コピー画面やプリント画面）でないと判断した場合（Ｓ５でＮＯ）、制御部１００は、認識部１０４が、ＵＳＢポート２１へのＵＳＢメモリー２２の接続を認識しているか否かを判断する（Ｓ９）。
【００４１】
制御部１００は、認識部１０４が、ＵＳＢポート２１へのＵＳＢメモリー２２の接続を認識していると判断した場合（Ｓ９でＹＥＳ）、ＵＳＢメモリー２２に格納されているデータに対する印刷ジョブの実行を画像形成装置１の前にいるユーザーＡが指示することが考えられ、印刷物の取り違いが発生する可能性が高くなるので、制御部１００は、上記注意喚起のための表示を行うと共に、外部装置２０からの印刷ジョブ指令に基づく印刷ジョブの実行の可否をユーザーに問い合わせるための表示を行う（Ｓ６）。
【００４２】
一方、制御部１００は、認識部１０４が、ＵＳＢポート２１へのＵＳＢメモリー２２の接続を認識していないと判断した場合（Ｓ９でＮＯ）、印刷物の取り違いが起こる可能性は低いと考えられるので、上記一時停止を解除し、外部装置２０からの印刷ジョブ指令に基づく印刷ジョブを実行し（Ｓ４）、この処理を終了する。
【００４３】
図４は、人体検知センサー１５により人体が検知されているときに、指令受付部１０２が印刷ジョブ指令を受け付けた場合に、印刷物の取り違いに対する注意喚起を行うか否かを場合分けしてまとめた表の一例である。
【００４４】
図４に示した表Ｔ１には、人体検知センサー１５により人体が検知されているときに、指令受付部１０２が印刷ジョブ指令を受け付けると、表示部４７３に表示されている表示画面がコピー画面やプリント画面である場合には、注意喚起を行うことが示されている。
【００４５】
また、表Ｔ１には、表示部４７３に表示されている表示画面がコピー画面やプリント画面以外（例えば、スキャン画面やファクシミリ画面）であるとき、ＵＳＢポート２１にＵＳＢメモリー２２が接続されている場合には、注意喚起を行うが、ＵＳＢメモリー２２が接続されていない場合には、注意喚起を行わないことが示されている。
【００４６】
上記第１実施形態によれば、人体検知センサー１５により人体が検知されているとき（画像形成装置１の前にユーザーＡが存在しているとき）に、外部装置２０からの印刷ジョブ指令（別のユーザーＢによる印刷ジョブ指令）を受け付けた場合で、かつ、表示部４７３に表示されている画面がコピー画面やプリント画面であるとき、上記印刷ジョブ指令に基づく印刷ジョブが一時停止される。更に、印刷物の取り違いに対する注意喚起のための表示が行われる。
【００４７】
また、表示部４７３に表示されている画面がコピー画面やプリント画面以外であったとしても、ＵＳＢポート２２にＵＳＢメモリー２１が接続されている場合には、上記注意喚起のための表示が行われると共に、上記印刷ジョブ指令に基づく印刷ジョブが一時停止させられる。
【００４８】
従って、排出トレイに排出された印刷物の取り違いが起こる可能性の高い場合には、上記注意喚起をユーザーに対して行い、更には、外部装置２０からの印刷ジョブ指令による印刷物の排出を停止させることが可能となるので、排出トレイに排出された印刷物の取り違いを防止することができる。
【００４９】
なお、上記第１実施形態では、人体検知センサー１５により人体が検知されているときに、指令受付部１０２が印刷ジョブ指令を受け付けた場合に、表示部４７３に表示されている画面の内容に応じて、上記注意喚起を行うか否かを決定しているが、別の実施形態では、表示部４７３に表示されている画面の内容に拘わらず、人体検知センサー１５により人体が検知されており、指令受付部１０２が印刷ジョブ指令を受け付けている状態であるときに、制御部１００が、印刷ジョブ指令に基づく印刷ジョブを一時停止するものとしてもよい。このとき、制御部１００は、上記注意喚起を行うことと共に、印刷ジョブ指令に基づく印刷ジョブを一時停止するようにしてもよい。
【００５０】
図５は、第２実施形態に係る画像形成装置の主要内部構成を概略的に示した機能ブロック図である。第２実施形態に係る画像形成装置１は、図１に示した第１実施形態に係る画像形成装置１と、制御ユニット１０が種類判断部１０５を備える点で相違する。
【００５１】
種類判断部１０５は、ＵＳＢポート２１に接続されているＵＳＢメモリー２２に、画像形成装置１で印刷可能な予め定められた種類のデータが格納されているか否かを判断する。上記予め定められた種類のデータは、画像形成装置１において制御部１００による制御で画像形成部１２により画像形成が可能とされている種類のデータである。例えば、ＨＤＤ９２にＰＤＦやＴＩＦＦ、ＪＰＥＧ、ＸＰＳに対応するそれぞれのアプリケーションが記憶されており、制御部１００が当該アプリケーションを用いて画像形成部１２にＰＤＦやＴＩＦＦ、ＪＰＥＧ、ＸＰＳのデータの画像形成を行わせることが可能とされている場合、ＰＤＦやＴＩＦＦ、ＪＰＥＧ、ＸＰＳが上記予め定められた種類のデータの一例となる。なお、種類判断部１０５は、例えば、データの種類を、各データを保存するファイルの拡張子から判断する。
【００５２】
次に、第２実施形態に係る画像形成装置１の制御ユニット１０で行われる処理動作の一例について、図６に示したフローチャートに基づいて説明する。但し、図６に示したフローチャートはＳ１０を除いて、図１に示したフローチャートと同じであるため、ここではＳ９から説明する。
【００５３】
Ｓ９において、制御部１００は、認識部１０４がＵＳＢポート２１へのＵＳＢメモリー２２の接続を認識しているか否かを判断する（Ｓ９）。制御部１００が、認識部１０４がＵＳＢポート２１へのＵＳＢメモリー２２の接続を認識していると判断した場合（Ｓ９でＹＥＳ）、種類判断部１０５は、ＵＳＢポート２１に接続されているＵＳＢメモリー２２に、画像形成装置１で印刷可能な予め定められた種類のデータ（ここでは、ＰＤＦやＴＩＦＦ、ＪＰＥＧ、ＸＰＳとする）が格納されているか否かを判断する（Ｓ１０）。
【００５４】
具体的には、種類判断部１０５は、ＵＳＢメモリー２２に格納されているファイルのリストデータを読み出し、各ファイルの名前の末尾に付けられている拡張子から、各ファイルに保存されているデータの種類を識別し、ＵＳＢメモリー２２に上記予め定められた種類のデータが格納されているか否かを判断する。
【００５５】
種類判断部１０５が、ＵＳＢメモリー２２に上記予め定められた種類のデータが格納されていると判断した場合（Ｓ１０でＹＥＳ）、ＵＳＢメモリー２２に格納されているデータに対する印刷ジョブの実行を画像形成装置１の前にいるユーザーＡが指示することが考えられ、印刷物の取り違いが発生する可能性が高くなるので、制御部１００は、表示部４７３の動作を制御することによって、上記注意喚起のための表示と、外部装置２０からの印刷ジョブ指令に基づく印刷ジョブの実行の可否をユーザーに問い合わせるための表示とを、表示部４７３に行わせる（Ｓ６）。すなわち、制御部１００は、表示部４７３に表示されている画面が前記予め定められた操作画面でないと画面判断部１０３により判断され、認識部１０４がＵＳＢポート２１へのＵＳＢメモリー２２の接続を認識し、更に、種類判断部１０５によりＵＳＢメモリー２２に上記予め定められた種類のデータが格納されていると判断された場合にのみ、上記注意喚起のための表示等を表示部４７３に行わせ、印刷ジョブ指令に基づく印刷ジョブの一時停止を維持する。
【００５６】
一方、種類判断部１０５が、ＵＳＢメモリー２２に上記予め定められた種類のデータが格納されていないと判断した場合（Ｓ１０でＮＯ）、ＵＳＢメモリー２２に格納されているデータに対する印刷ジョブの実行が指示されることはなく、印刷物の取り違いが発生する可能性が低くなるので、制御部１００は、画像形成部１２の動作を制御することによって、外部装置２０からの印刷ジョブ指令に基づく印刷ジョブを実行する（Ｓ４）。すなわち、制御部１００は、画面判断部１０３により表示部４７３に表示されている画面が上記予め定められた操作画面でないと判断され、認識部１０４がＵＳＢポート２１へのＵＳＢメモリー２２の接続を認識し、種類判断部１０５によりＵＳＢメモリー２２に上記予め定められた種類のデータが格納されていないと判断された場合には、上記注意喚起のための表示を表示部４７３に行わせず、上記一時停止させていた上記印刷ジョブ指令に基づく印刷ジョブを実行する。
【００５７】
図７は、人体検知センサー１５により人体が検知されているときに、指令受付部１０２が印刷ジョブ指令を受け付けた場合に、印刷物の取り違いに対する注意喚起を行うか否かを場合分けしてまとめた表の一例である。
【００５８】
図７に示した表Ｔ２には、人体検知センサー１５により人体が検知されているときに、指令受付部１０２が印刷ジョブ指令を受け付けると、表示部４７３に表示されている表示画面がコピー画面やプリント画面である場合には、注意喚起を行うことが示されている。
【００５９】
また、表Ｔ２には、表示部４７３に表示されている表示画面がコピー画面やプリント画面以外であるとき、ＵＳＢポート２１に接続されているＵＳＢメモリー２２に印刷可能なＰＤＦ等のデータが格納されている場合には、注意喚起を行うが、ＵＳＢメモリー２２に印刷可能なＰＤＦ等のデータが格納されていない場合には、注意喚起を行わないこと、そして、ＵＳＢポート２１にＵＳＢメモリー２２が接続されていない場合には、注意喚起を行わないことが示されている。
【００６０】
上記第２実施形態によれば、ＵＳＢポート２１にＵＳＢメモリー２２が接続されていたとしても、ＵＳＢメモリー２２に格納されているデータが印刷可能なデータでない場合には、注意喚起は行われないので、必要以上に注意喚起が行われるのを回避し、生産性を高めることができる。
【００６１】
また、本発明は上記実施の形態の構成に限られず種々の変形が可能である。また、上記実施形態では、本発明に係る画像形成装置の一実施形態として複合機を用いて説明しているが、これは一例に過ぎず、例えば、プリンター機能を有した他の画像形成装置でもよい。
【００６２】
また、上記実施形態では、図１乃至図７を用いて上記実施形態により示した構成及び処理は、本発明の一実施形態に過ぎず、本発明を当該構成及び処理に限定する趣旨ではない。
【符号の説明】
【００６３】
１        画像形成装置
１２      画像形成部
１５      人体検知センサー
２１      ＵＳＢポート
２２      ＵＳＢメモリー
９１      ネットワークインターフェイス部
１００    制御部
１０１    操作受付部
１０２    指令受付部
１０３    画面判断部
１０４    認識部
１０５    種類判断部
【図１】
2019188766.tif 000003
【図２】
2019188766.tif 000004
【図３】
2019188766.tif 000005
【図４】
2019188766.tif 000006
【図５】
2019188766.tif 000007
【図６】
2019188766.tif 000008
【図７】
2019188766.tif 000009
【手続補正書】
【提出日】平成31年4月19日(2019.4.19)
【手続補正１】
【補正対象書類名】特許請求の範囲
【補正対象項目名】全文
【補正方法】変更
【補正の内容】
【特許請求の範囲】
【請求項１】
記録媒体に画像を形成する画像形成部と、
前記画像形成部により画像が形成された記録媒体が排出される排出トレイと、
ユーザーから指示が入力される操作部と、
前記操作部に入力された指示を受け付ける操作受付部と、
本画像形成装置に設けられ、本画像形成装置の前面側にいる人物を検知する人体検知センサーと、
外部装置との間でデータ通信を行う通信部と、
前記通信部を介した前記外部装置からの印刷ジョブ指令を受け付ける指令受付部と、
前記画像形成部の動作を制御して、前記操作受付部が印刷ジョブ指示を受け付けたときには当該印刷ジョブ指示に基づく印刷ジョブを実行し、前記指令受付部が前記外部装置からの印刷ジョブ指令を受け付けたときには当該印刷ジョブ指令に基づく印刷ジョブを実行する制御部と、を備え、
前記制御部は、前記人体検知センサーにより人体が検知されているときに、前記指令受付部が前記印刷ジョブ指令を受け付けている場合には、前記印刷ジョブ指令に基づく印刷ジョブを一時停止する画像形成装置。
【請求項２】
表示部を更に備え、
前記制御部は、前記人体検知センサーにより人体が検知されているときに、前記指令受付部が前記印刷ジョブ指令を受け付けた場合には、前記印刷ジョブ指令に基づく印刷ジョブを一時停止すると共に、前記排出トレイに排出された記録媒体の取り違いに対する注意喚起のための表示を前記表示部に行わせる請求項１に記載の画像形成装置。
【請求項３】
前記制御部は、前記注意喚起のための表示を行うと共に、前記外部装置からの前記印刷ジョブ指令に基づく印刷ジョブの実行の可否をユーザーに問い合わせる表示を前記表示部に行わせ、当該表示の後に、前記操作受付部が前記実行のユーザー指示を受け付けると、前記一時停止を解除し、前記外部装置からの前記印刷ジョブ指令に基づく印刷ジョブを実行する請求項２に記載の画像形成装置。
【請求項４】
前記制御部は、前記人体検知センサーにより人体が検知されなくなると、前記一時停止を解除し、前記印刷ジョブ指令に基づく印刷ジョブを実行する請求項１乃至請求項３のいずれかに記載の画像形成装置。
【請求項５】
前記表示部に表示されている画面が、印刷ジョブの実行をユーザーが指示するための予め定められた操作画面であるか否かを判断する画面判断部を更に備え、
前記制御部は、
前記画面判断部により、前記表示部に表示されている画面が前記予め定められた操作画面であると判断された場合に、前記印刷ジョブ指令に基づく印刷ジョブを一時停止すると共に、前記注意喚起のための表示を前記表示部に行わせ、
前記画面判断部により、前記表示部に表示されている画面が前記予め定められた操作画面でないと判断された場合には、前記注意喚起のための表示を前記表示部に行わせず、前記一時停止させていた前記印刷ジョブ指令に基づく印刷ジョブを実行する請求項２乃至請求項４のいずれかに記載の画像形成装置。
【請求項６】
外部メモリーと接続可能な接続部と、
前記接続部への前記外部メモリーの接続を認識する認識部と、を更に備え、
前記制御部は、前記画面判断部により前記表示部に表示されている画面が前記予め定められた操作画面でないと判断され、前記認識部が前記接続部への前記外部メモリーの接続を認識していない場合に、前記注意喚起のための表示を前記表示部に行わせず、前記一時停止させていた前記印刷ジョブ指令に基づく印刷ジョブを実行する請求項５に記載の画像
形成装置。
【請求項７】
前記制御部は、前記画面判断部により前記表示部に表示されている画面が前記予め定められた操作画面でないと判断され、前記認識部が前記接続部への前記外部メモリーの接続を認識している場合に、前記注意喚起のための表示を前記表示部に行わせ、前記印刷ジョブ指令の前記一時停止を維持する請求項６に記載の画像形成装置。
【請求項８】
前記接続部に接続されている前記外部メモリーに、本画像形成装置で印刷可能な予め定められた種類のデータが格納されているか否かを判断する種類判断部を更に備え、
前記制御部は、前記画面判断部により、前記表示部に表示されている画面が前記予め定められた操作画面でないと判断し、前記認識部が前記接続部への前記外部メモリーの接続を認識し、更に、前記種類判断部により前記外部メモリーに前記予め定められた種類のデータが格納されていると判断された場合にのみ、前記注意喚起のための表示を前記表示部に行わせ、前記印刷ジョブ指令の前記一時停止を維持する請求項７に記載の画像形成装置。
【請求項９】
前記制御部は、前記画面判断部により前記表示部に表示されている画面が前記予め定められた操作画面でないと判断され、前記認識部が前記接続部への前記外部メモリーの接続を認識し、前記種類判断部により前記外部メモリーに前記予め定められた種類のデータが格納されていないと判断された場合には、前記注意喚起のための表示を前記表示部に行わせず、前記一時停止させていた前記印刷ジョブ指令に基づく印刷ジョブを実行する請求項８に記載の画像形成装置。
【手続補正２】
【補正対象書類名】明細書
【補正対象項目名】０００８
【補正方法】変更
【補正の内容】
【０００８】
本発明の一局面に係る画像形成装置は、記録媒体に画像を形成する画像形成部と、前記画像形成部により画像が形成された記録媒体が排出される排出トレイと、ユーザーから指示が入力される操作部と、前記操作部に入力された指示を受け付ける操作受付部と、本画像形成装置に設けられ、本画像形成装置の前面側にいる人物を検知する人体検知センサーと、外部装置との間でデータ通信を行う通信部と、前記通信部を介した前記外部装置からの印刷ジョブ指令を受け付ける指令受付部と、前記画像形成部の動作を制御して、前記操作受付部が印刷ジョブ指示を受け付けたときには当該印刷ジョブ指示に基づく印刷ジョブを実行し、前記指令受付部が前記外部装置からの印刷ジョブ指令を受け付けたときには当該印刷ジョブ指令に基づく印刷ジョブを実行する制御部と、を備え、前記制御部は、前記人体検知センサーにより人体が検知されているときに、前記指令受付部が前記印刷ジョブ指令を受け付けている場合には、前記印刷ジョブ指令に基づく印刷ジョブを一時停止する。
【手続補正３】
【補正対象書類名】明細書
【補正対象項目名】００４７
【補正方法】変更
【補正の内容】
【００４７】
また、表示部４７３に表示されている画面がコピー画面やプリント画面以外であったとしても、ＵＳＢポート２１にＵＳＢメモリー２２が接続されている場合には、上記注意喚起のための表示が行われると共に、上記印刷ジョブ指令に基づく印刷ジョブが一時停止させられる。